(57)【特許請求の範囲】
【請求項１】
自走可能な車体と、該車体上に傾転可能に設けられた荷台と、前記車体の下側に車幅方向に間隔をもって配置された複輪式の車輪と、該複輪式の車輪間に入り込む異物を除去する異物除去装置とを備え、
該異物除去装置は、前記荷台の下側または前記車体に設けられたブラケットと、上端側が該ブラケットに揺動可能に取付けられ下端側が前記複輪式の車輪間に垂下状態で挿入される垂下部材とにより構成してなる運搬車両において、
前記垂下部材は、前記車体の進行方向に対して前，後方向に離間すると共に上，下方向に延びた一対の板状体により構成し、
該一対の板状体間の下端側には、前記車輪間に入り込んだ異物と衝突することにより該異物を前記車輪間から弾き出すための石突きを、前記一対の板状体に対し交換可能に、回転可能に取付ける構成としたことを特徴とする運搬車両。
【請求項２】
前記石突きは、前記一対の板状体に対しボルトにより着脱可能に取付ける構成としてなる請求項１に記載の運搬車両。
【発明の詳細な説明】
【技術分野】
【０００１】
本発明は、例えば露天の採掘場、石切り場、鉱山等で採掘した砕石物または掘削した土砂等を運搬するのに好適に用いられるダンプトラック等の運搬車両に関する。
【背景技術】
【０００２】
一般に、ダンプトラックと呼ばれる大型の運搬車両は、車体のフレーム上に起伏可能となった荷台（ベッセル）を備え、この荷台に砕石物または土砂等の運搬対象物を多量に積載した状態で集荷場等に向けて運搬、搬送するものである（例えば、特許文献１参照）。
【０００３】
この種の従来技術による運搬車両は、自走可能な車体と、該車体上に傾転(起伏)可能に設けられ運搬対象物が積載される荷台と、車体の下側に車幅方向に間隔をもって配置された複輪式の車輪と、該複輪式の車輪間に入り込む土砂、石等の異物を除去する異物除去装置とにより大略構成されている。
【０００４】
ここで、異物除去装置は、例えば、荷台の下側に設けられたブラケットと、上端側が該ブラケットに前，後方向（車体の進行方向）の揺動を可能に取付けられ下端側が複輪式の車輪間に垂下状態で挿入される垂下部材（異物除去部材）とにより構成している（例えば、特許文献１参照）。
【０００５】
そして、運搬車両の走行時に、複輪式の車輪を構成する各タイヤ間に土砂、石等の異物が入り込む（挟み込まれる）と、この異物が異物除去装置を構成する垂下部材の下端側と衝突することにより、この異物がタイヤの間から取り除かれる（弾き出される）構成となっている。
【先行技術文献】
【特許文献】
【０００６】
【特許文献１】特開２００５−５３４１２号公報
【発明の概要】
【発明が解決しようとする課題】
【０００７】
ダンプトラック等の運搬車両は、不整地等の凹凸路面を走行することが多く、このような凹凸路面の走行時に、車体は左右方向に揺れる。このとき、サスペンション（懸架装置）を介して車体に支持された車輪（の回転中心軸）は、車体ならびに荷台（の下面）に対し斜め（非平行）になる。そして、この場合に、荷台から複輪式の車輪間に垂下状態で挿入された垂下部材の下端が、車輪を構成するタイヤの側面と接触（摺接）する場合がある。
【０００８】
一方、タイヤの側面には細かい土砂等が付着しており、このようなタイヤの側面に垂下部材の下端が接触すると、この下端と土砂等との擦れ合いに基づいてこの下端が徐々に鋭利に擦り減って行く。そして、鋭利に擦り減った垂下部材の下端がタイヤの側面に接触すると、このタイヤの側面が損傷する虞がある。
【０００９】
このようなタイヤの側面の損傷を防止するには、垂下部材の下端が鋭利に擦り減る前に、該垂下部材を交換することが考えられるが、従来技術による運搬車両では、垂下部材全体（異物除去部材）を交換する必要があり、この交換作業が面倒になるという問題がある。
【００１０】
本発明は上述した従来技術の問題に鑑みなされたもので、異物除去装置を構成する垂下部材の下端側が擦り減っても、その交換作業を容易に行うことができる運搬車両を提供することを目的としている。
【課題を解決するための手段】
【００１１】
上述した課題を解決するため、本発明は、自走可能な車体と、該車体上に傾転可能に設けられた荷台と、前記車体の下側に車幅方向に間隔をもって配置された複輪式の車輪と、該複輪式の車輪間に入り込む異物を除去する異物除去装置とを備え、該異物除去装置は、前記荷台の下側または前記車体に設けられたブラケットと、上端側が該ブラケットに揺動可能に取付けられ下端側が前記複輪式の車輪間に垂下状態で挿入される垂下部材とにより構成してなる運搬車両に適用される。
【００１２】
そして、請求項１の発明が採用する構成の特徴は、前記垂下部材は、前記車体の進行方向に対して前，後方向に離間すると共に上，下方向に延びた一対の板状体により構成し、該一対の板状体間の下端側には、前記車輪間に入り込んだ異物と衝突することにより該異物を前記車輪間から弾き出すための石突きを、前記一対の板状体に対し交換可能に、回転可能に取付ける構成としたことにある。
【００１３】
請求項２の発明は、前記石突きは、前記一対の板状体に対しボルトにより着脱可能に取付ける構成としたことにある。
【発明の効果】
【００１５】
請求項１の発明によれば、垂下部材となる一対の板状体の下端側に石突きを取付ける構成としているので、運転に伴って擦り減る部位を石突きにすることができる。そして、該石突きは、一対の板状体間に交換可能に取付ける構成としているので、運転に伴って石突きが擦り減っても、この擦り減った石突きのみを交換すればよく、従来技術のように垂下部材全体を交換する場合に比べ、その交換作業を容易に行うことができる。
【００１６】
そして、交換作業が容易になる分、石突きが鋭利に擦り減る前に該石突きを積極的に（頻繁に）交換することができ、その分、車輪を構成するタイヤを損傷しにくくすることができる。この結果、タイヤの耐久性、寿命を確保することができ、運搬車両の信頼性を向上することができる。
しかも、車体の進行方向に対して前，後方向に離間すると共に上，下方向に延びた一対の板状体間に石突きを取付ける構成としているので、該石突きを前，後方向両側から挟持した状態で安定して支持することができる。
さらに、石突きを一対の板状体間に回転可能に取付ける構成としているので、該石突きに土砂等の異物が衝突したりタイヤの側面と接触したときに、石突きが回転することにより、該石突きを擦り減りにくくすることができる。
【００１７】
請求項２の発明によれば、一対の板状体に対し石突きをボルトを用いて着脱可能に取付ける構成としているので、一対の板状体に対する石突きの取付強度の確保と着脱の容易化とを高次元で両立することができる。
【図面の簡単な説明】
【００１９】
【図１】本発明の参考例によるダンプトラックを示す正面図である。
【図２】ダンプトラックを後方からみた図１の右側面図である。
【図３】図２中の左側の後輪、異物除去装置等を示す拡大右側面図である。
【図４】図３中の矢示IV−IV方向からみた要部拡大断面図である。
【図５】異物除去装置等を示す要部拡大図である。
【図６】異物除去装置等を図５中の矢示VI−VI方向からみた断面図である。
【図７】垂下部材と石突きを図６中の矢示VII−VII方向からみた分解断面図である。
【図８】本発明の実施の形態による異物除去装置等を示す図５と同様な要部拡大図である。
【図９】異物除去装置等を図８中の矢示IX−IX方向からみた断面図である。
【図１０】垂下部材と石突きを示す分解斜視図である。
【発明を実施するための形態】
【００２０】
以下、本発明の実施の形態による運搬車両を、鉱山等で採掘した砕石物を運搬するダンプトラックを例に挙げ、添付図面を参照しつつ詳細に説明する。
【００２１】
まず、図１ないし図７は本発明の参考例を示している。図中、１は運搬車両としてのダンプトラックで、該ダンプトラック１は、自走可能な車体２と、該車体２上に傾転（起伏）可能に設けられた荷台としてのベッセル３とにより大略構成されている。
【００２２】
そして、ベッセル３は、例えば砕石物からなる重い運搬対象物（以下、砕石４という）を多量に積載するため全長が１０〜１３メートルにも及ぶ大型の容器として形成され、その後側底部が、車体２の後端側に連結ピン５等を介して起伏（傾転）可能に連結されている。また、ベッセル３の前側上部には、後述のキャブ６を上側から覆う庇部３Ａが一体に設けられている。
【００２３】
６は庇部３Ａの下側に位置して車体２の前部に設けられたキャブで、該キャブ６は、ダンプトラック１の運転者が乗降する運転室を形成し、その内部には運転席、起動スイッチ、アクセルペダル、ブレーキペダル、操舵用のハンドルおよび複数の操作レバー（いずれも図示せず）等が設けられている。
【００２４】
７は車体２とベッセル３との間に伸縮可能に設けられた左，右一対のホイストシリンダ（図１中に１個のみ図示）で、該ホイストシリンダ７は、上，下方向に伸縮することにより、連結ピン５を支点としてベッセル３を傾転(起伏)させるものである。
【００２５】
８はベッセル３の下方に位置して車体２の側面に取付けられた作動油タンクで、該作動油タンク８は、内部に作動油（油液）を収容している。そして、作動油タンク８内に収容した作動油は、油圧ポンプにより圧油となってホイストシリンダ７、パワーステアリング用の操舵シリンダ等に給排されるものである。
【００２６】
９は車体２の前部側に回転可能に設けられた左，右の前輪（図１中に左側のみ図示）で、該前輪９は、ダンプトラック１の運転者によって操舵（ステアリング操作）される操舵輪を構成するものである。そして、前輪９は、後述の後輪１０と同様に、例えば２〜４メートルに及ぶタイヤ径（外径寸法）をもって形成されている。
【００２７】
１０は車体２の後部側に回転可能に設けられた左，右の後輪で、該後輪１０は、ダンプトラック１の駆動輪を構成するものである。ここで、左，右の後輪１０は、図２に示すように、それぞれ車体２およびベッセル３の下側に車幅方向（左，右方向）に間隔をもって配置された複輪式（例えば２本）のものとしている。
【００２８】
即ち、左，右の後輪１０は、いずれもが、車幅方向の外側に位置するアウタタイヤ１０Ａと、該アウタタイヤ１０Ａよりも車幅方向の内側に位置するインナタイヤ１０Ｂと、これらアウタタイヤ１０Ａとインナタイヤ１０Ｂとの間に車幅方向に隙間を確保するリムスペーサ１０Ｃとを含んで構成されている。
【００２９】
そして、左，右の後輪１０は、これら左，右の後輪１０間で軸方向（車体２の幅方向）に延びる筒状体のアクスルハウジング１１の両端部に、回転可能に設けられている。ここで、アクスルハウジング１１内には、例えば電動モータ等の回転源および減速機等を含んで構成される左，右の走行駆動装置（いずれも図示せず）が設けられ、この走行駆動装置により、左，右の後輪１０はそれぞれ独立して回転駆動される構成となっている。
【００３０】
１２は車体２の後部と左，右の後輪１０側との間に設けられたサスペンションシリンダで、該サスペンションシリンダ１２は、例えば油圧シリンダにより構成され、車体２の後部側をアクスルハウジング１１（左，右の後輪１０）上で懸架しつつ、上，下方向の振動を緩衝するものである。
【００３１】
１３はベッセル３の後部の下側に設けられた異物除去装置で、該異物除去装置１３は、路面から複輪式の後輪１０間（アウタタイヤ１０Ａとインナタイヤ１０Ｂとの間）に入り込む（挟み込まれる）土砂、石等の異物を除去するものである。ここで、異物除去装置１３は、後述のブラケット１４と、棒状体２０と、石突き２１とにより大略構成されている。
【００３２】
１４はベッセル３の後部の下側に設けられたブラケットで、該ブラケット１４は、後述する棒状体２０の上端側をベッセル３に対し車体２の前，後方向（進行方向）に揺動可能に支持するものである。このために、ブラケット１４は、一対の縦板１５、取付板１６、連結ブロック１７、揺動軸１８、ストッパ１９等により構成されている。
【００３３】
１５は車体２の幅方向（左，右方向）に離間すると共に上，下方向に延びる一対の縦板で、該各縦板１５は、例えば図６に示す取付け状態で、上側に取付板１６が嵌め込まれる凹状切欠き部１５Ａが設けられている。
【００３４】
１６は各縦板１５の上側に取り付けられた取付板で、該取付板１６は、例えば板材を折り曲げ成形することにより縦断面形状を略コ字型に形成され、例えば図６に示す取付け状態で、下側に凸となる下側凸面１６Ａを、各縦板１５の凹状切欠き部１５Ａに嵌め込んで溶接等により固定している。そして、取付板１６のうち、例えば図６に示す取付け状態で、下側に凹となる上側凹面１６Ｂを、ベッセル３の下面に設けられた中空状の枠部材３Ｂに嵌め込んで溶接等により固定することにより、ブラケット１４をベッセル３の下側に取付ける構成となっている。
【００３５】
１７は各縦板１５の下部で車体２の前，後方向の前寄り部分に設けられた連結ブロックで、該連結ブロック１７は、各縦板１５の間に車体２の幅方向に架け渡されて溶接等により固定されている。そして、連結ブロック１７には、後述のストッパ１９が取付けられている。
【００３６】
１８は各縦板１５の略中央部に設けられた揺動軸で、該揺動軸１８は、各縦板１５の間に架け渡された状態で取り付けられた１組のボルト１８Ａとナット１８Ｂとにより構成されている。そして、ボルト１８Ａとナット１８Ｂとにより構成された揺動軸１８を用いて、後述の棒状体２０をブラケット１４に揺動可能に取付ける構成となっている。
【００３７】
１９は連結ブロック１７のうち棒状体２０に対向する面にボルト１９Ａを用いて取り付けられたストッパで、該ストッパ１９は、ゴムの如きエラストマー等の弾性材または金属、セラミック材等により形成されたものである。そして、このストッパ１９に設けられた凹部１９Ｂに棒状体２０の側面を当接させ、この棒状体２０がそれ以上車体２の前側（リムスペーサ１０Ｃに近付く側）に揺動するのを阻止することにより、棒状体２０がリムスペーサ１０Ｃに衝突することを防止している。
【００３８】
２０は異物除去装置１３を構成する垂下部材としての棒状体で、該棒状体２０は、例えば図６に示す取付け状態で、上，下方向に延び、横断面形状が略矩形に形成されている。そして、棒状体２０の上端側は、ブラケット１４に揺動可能に取付けてられている。
【００３９】
このために、棒状体２０の上端部には、揺動軸１８（ボルト１８Ａ）の外径よりも大きな内径を有する挿通孔２０Ａが形成されている。そして、この挿通孔２０Ａには、揺動軸１８（ボルト１８Ａ）が挿通（遊嵌）され、該揺動軸１８を介して棒状体２０をブラケット１４に前，後方向の揺動を可能に取付ける構成となっている。
【００４０】
一方、棒状体２０の下端側は、複輪式の後輪１０間、すなわち、該後輪１０を構成するアウタ，インナ両タイヤ１０Ａ，１０Ｂの間に、垂下状態で挿入されている。また、棒状体２０の下端側は、先端側（下端側）に向かう程横断面積が小さくなる先細部２０Ｂが形成され、該先細部２０Ｂの先端側（下端側）には、後述の石突き２１と凹凸嵌合する凹部２０Ｃが設けられている。そして、この凹部２０Ｃの底部には、後述のボルト２２が螺合されるねじ穴２０Ｄが形成されている。
【００４１】
２１は棒状体２０の下端に交換可能に設けられた石突きで、該石突き２１は、ダンプトラック１の前進走行時に、路面からアウタ，インナ両タイヤ１０Ａ，１０Ｂの間に入り込んだ（挟み込まれた）土砂、石等の異物が下方から衝突することにより、該異物をアウタ，インナ両タイヤ１０Ａ，１０Ｂ間から弾き出すためのものである。
【００４２】
ここで、石突き２１は、円盤状に形成され、その中央部には、図７に示すように、上，下方向に貫通する取付孔２１Ａが設けられている。また、取付孔２１Ａは、大径部２１Ａ1と小径部２１Ａ2とを有する段付き孔として形成されている。そして、石突き２１は、取付孔２１Ａに挿通される後述のボルト２２を用いて棒状体２０の下端側に着脱可能に取付ける構成となっている。
【００４３】
２２は棒状体２０に対して石突き２１を着脱可能に取付けるためのボルトで、該ボルト２２は、例えば頭部に六角穴２２Ａが設けられた六角穴付ボルト（キャップボルト）として形成されている。そして、ボルト２２は、石突き２１の取付孔２１Ａに挿通すると共に棒状体２０のねじ穴２０Ｄに螺合することにより、石突き２１を棒状体２０の下端に固定するものである。
【００４４】
これにより、石突き２１は、棒状体２０の下端側に十分な支持強度で取付けることができる。また、石突き２１を交換するときは、ボルト２２を緩め、該ボルト２２をねじ穴２０Ｄおよび取付孔２１Ａから抜き出すことにより、石突き２１を棒状体２０の下端側から容易に取外すことができる。
【００４５】
参考例によるダンプトラック１は、上述の如き構成を有するもので、次に、その作動について説明する。
【００４６】
まず、鉱山等の砕石場では、例えば大型の油圧ショベル（図示せず）を用いて運搬対象の砕石４をベッセル３上に積載する。このとき、ベッセル３は、図１に示す運搬位置に配置される。そして、ダンプトラック１は、ベッセル３上に砕石４等を多量に積載した状態で、所定の荷降ろし場に向けて砕石４等を運搬する。
【００４７】
また、前記荷降ろし場においては、キャブ６内の運転者が、操作レバー（図示せず）を手動操作することにより、ホイストシリンダ７を伸長させてベッセル３を斜め後方へと傾斜させる。これにより、ベッセル３内の砕石４は、下方へと滑り落ちるようにベッセル３から排出される。
【００４８】
次に、砕石４の排出が終了すると、運転者が前記操作レバーを手動で操作することにより、ホイストシリンダ７を縮小させる。これによりベッセル３は、図１に示す運搬位置へと回動され、車体２上に着座する。そして、この状態でダンプトラック１は、次なる運搬作業に備えるものである。
【００４９】
ここで、ダンプトラック１が作業現場等で路上走行するときには、複輪式の後輪１０の回転に伴って、この複輪式の後輪１０を構成するアウタ，インナ両タイヤ１０Ａ，１０Ｂの間に土砂、石等の異物が入り込む（挟み込まれる）場合がある。この場合に、この異物は、異物除去装置１３を構成する棒状体２０の下端に設けられた石突き２１に衝突して、アウタ，インナ両タイヤ１０Ａ，１０Ｂの間から外側に向けて弾き出される。
【００５０】
また、凹凸路面の走行時には、サスペンションシリンダ１２の伸縮に伴って、アクスルハウジング１１が、車体２およびベッセル３に対して斜めになる。そして、これに伴い、アウタ，インナ両タイヤ１０Ａ，１０Ｂの回転中心軸がベッセル３の下面に対して非平行になり、このベッセル３からアウタ，インナ両タイヤ１０Ａ，１０Ｂの間に垂下状態で挿入された異物除去装置１３の棒状体２０の下端が、これらアウタ，インナ両タイヤ１０Ａ，１０Ｂの側面に近付く方向に相対変位する。
【００５１】
このとき、棒状体２０の下端に設けられた石突き２１が、細かい土砂等が付着したアウタ，インナ両タイヤ１０Ａ，１０Ｂの側面に接触することにより、この石突き２１が徐々に鋭利に擦り減って行き、当該石突き２１によりアウタ，インナ両タイヤ１０Ａ，１０Ｂが傷付けられる虞がある。
【００５２】
そこで、参考例では、石突き２１が鋭利に擦り減る前に（擦り減りの浅い段階で）、該石突き２１を新しい石突き２１に交換する。即ち、棒状体２０の下側からボルト２２を取外すことにより、該棒状体２０から石突き２１を取外し、新しい石突き２１に交換する。これにより、アウタ，インナ両タイヤ１０Ａ，１０Ｂが、鋭利に擦り減った石突き２１によって傷付けられることを低減することができる。
【００５３】
参考例によれば、棒状体２０の下端側に石突き２１を設ける構成としているので、運転に伴って擦り減る部位を石突き２１に限定することができる。そして、該石突き２１は、棒状体２０に交換可能に取付ける構成としているので、運転に伴って石突き２１が擦り減っても、この擦り減った石突き２１のみを交換すればよく、従来技術のように異物除去部材全体を交換する場合に比べ、その交換作業を容易に行うことができる。
【００５４】
そして、交換作業が容易になる分、石突き２１が鋭利に擦り減る前に（擦り減りの浅い段階で）該石突き２１を積極的に（頻繁に）交換することができ、その分、アウタ，インナ両タイヤ１０Ａ，１０Ｂを損傷しにくくすることができる。この結果、アウタ，インナ両タイヤ１０Ａ，１０Ｂの耐久性、寿命を確保することができ、ダンプトラック１の信頼性を向上することができる。
【００５５】
しかも、参考例によれば、棒状体２０に対し石突き２１をボルト２２を用いて着脱可能に取付ける構成としているので、棒状体２０に対する石突き２１の取付強度の確保と着脱（交換）の容易化とを高次元で両立することができる。
【００５６】
次に、図８ないし図１０は本発明の実施の形態を示している。実施の形態の特徴は、異物除去装置の垂下部材を一対の板状体により構成すると共に、該各板状体間に石突きを取付ける構成としたことにある。なお、実施の形態では、上述した参考例と同一の構成要素に同一符号を付し、その説明を省略するものとする。
【００５７】
図中、３１，３２は異物除去装置１３を構成する垂下部材としての一対の板状体を示している。ここで、一対の板状体３１，３２は、１本の板状の素材の中間部を１８０°折り返すことにより、車体２の進行方向に対して前，後方向に離間すると共に上，下方向に延びた前，後の板状体３１，３２として形成されている。
【００５８】
そして、前，後の板状体３１，３２は、例えば図９に示すように、上端側が折返し部３３によって連結されている。また、前，後の板状体３１，３２の下端側には、図１０に示すように、後述するボルト３６を挿通するボルト挿通孔３１Ａ，３２Ａが形成されている。
【００５９】
３４は前，後の板状体３１，３２の上端側で折返し部３３の下側に設けられた連結部材で、該連結部材３４は、前，後の板状体３１，３２間に架け渡された状態で溶接等により固定されている。そして、連結部材３４と折返し部３３と前，後の板状体３１，３２とにより囲まれた部分に挿通される揺動軸１８（ボルト１８Ａ）を介して、各板状体３１，３２をブラケット１４に前，後方向の揺動を可能に取付けている。
【００６０】
３５は前，後の板状体３１，３２の下端に交換可能に設けられた石突きで、該石突き３５は、ダンプトラック１の前進走行時に、アウタ，インナ両タイヤ１０Ａ，１０Ｂの間に入り込んだ（挟み込まれた）土砂、石等の異物と衝突することにより、該異物をアウタ，インナ両タイヤ１０Ａ，１０Ｂ間から弾き出すものである。
【００６１】
ここで、石突き３５は、図１０に示すように、円柱状に形成され、その中央部には、前，後方向に貫通する取付孔３５Ａが設けられている。そして、石突き３５は、取付孔３５Ａに前，後方向に延びるように挿通される後述のボルト３６を用いて前，後の板状体３１，３２間に着脱可能に取付ける構成となっている。この場合、取付孔３５Ａの内側にスリーブ（図示せず）を介してボルト３６を挿通する等により、石突き３５を前，後の板状体３１，３２間で回転可能に支持する構成とすることができる。
【００６２】
３６は前，後の板状体３１，３２に対して石突き３５を着脱可能に取付けるためのボルトで、該ボルト３６は、各板状体３１，３２のボルト挿通孔３１Ａ，３２Ａと石突き３５の取付孔３５Ａとに前，後方向に延びるように挿通して設けられ、先端側にナット３７を螺合することにより、板状体３１，３２間に石突き３５を固定するものである。
【００６３】
これにより、石突き３５は、板状体３１，３２間に十分な支持強度で取付けることができる。また、該石突き３５を交換するときは、ナット３７を緩め、ボルト３６をボルト挿通孔３１Ａ，３２Ａおよび取付孔３５Ａから抜き出すことにより、石突き３５を板状体３１，３２間から容易に取外すことができる。
【００６４】
実施の形態によれば、上述の如き前，後の板状体３１，３２の下端側にボルト３６とナット３７とを用いて石突き３５を交換可能に取付ける構成としているので、該石突き３５が鋭利に擦り減る前に（擦り減りの浅い段階で）、該石突き３５を容易に交換することができる。従って、実施の形態においても、上述した参考例と同様の作用効果を得ることができる。
【００６５】
また、実施の形態では、前，後の板状体３１，３２間に石突き３５を取付ける構成としているので、該石突き３５を前，後方向両側から挟持した状態で安定して支持することができる。
【００６６】
しかも、前，後の板状体３１，３２は、１本の板状の素材の中間部を１８０°折り返すことにより一体に形成しているので、曲げ加工により容易に製造することができ、異物除去装置１３のコストを低減することができる。
【００６７】
さらに、実施の形態では、取付孔３５Ａの内側にスリーブ（図示せず）を介してボルト３６を挿通する等により、石突き３５を前，後の板状体３１，３２間で回転可能に支持する構成としてもよい。このように石突き３５を回転可能に支持する構成とした場合には、該石突き３５に土砂等の異物が衝突したりタイヤ１０Ａ，１０Ｂの側面と接触したときに、石突き３５が回転することにより、該石突き３５を擦り減りにくくすることができる。
【００６８】
なお、上述した参考例および実施の形態では、円盤状ないしは円柱状の石突き２１，３５を用いる構成とした場合を例に挙げて説明したが、例えば矩形状の石突き等、他の形状の石突きを用いる構成としてもよい。
【００６９】
また、上述した参考例および実施の形態では、ボルト２２，３６を用いて石突き２１，３５を棒状体２０または各板状体３１，３２に着脱可能に取付ける場合を例に挙げて説明した。しかし、ボルトに代えて、例えば係止ピン等の他の締結具を用いて石突きを垂下部材に着脱可能に取付ける構成としてもよい。
【００７０】
また、上述した参考例および実施の形態では、異物除去装置１３のブラケット１４をベッセル（荷台）３の下面に設けた場合を例に挙げて説明したが、例えば車体にブラケットを設ける構成としてもよい。
【００７１】
さらに、上述した参考例および実施の形態では、複輪式の車輪として２本のタイヤ（アウタ，インナ両タイヤ１０Ａ，１０Ｂ）により構成した場合を例に挙げて説明したが、例えば３本以上のタイヤにより複輪式の車輪を構成してもよい。この場合には、それぞれのタイヤの間に異物除去装置を設けることができる。
【符号の説明】
【００７２】
１  ダンプトラック（運搬車両）
２  車体
３  ベッセル（荷台）
１０  後輪（複輪式の車輪）
１３  異物除去装置
１４  ブラケット
２０  棒状体（垂下部材）
２１，３５  石突き
２２，３６  ボルト
３１  前板状体（垂下部材）
３２  後板状体（垂下部材）
【図１】
0005378430.tif 000002
【図２】
0005378430.tif 000003
【図３】
0005378430.tif 000004
【図４】
0005378430.tif 000005
【図５】
0005378430.tif 000006
【図６】
0005378430.tif 000007
【図７】
0005378430.tif 000008
【図８】
0005378430.tif 000009
【図９】
0005378430.tif 000010
【図１０】
0005378430.tif 000011